(57)【要約】      （修正有）【課題】大気圧力と円筒内の真空との圧力差によって作動する原動機を提供する。【解決手段】円筒６の中心を軸芯とする軸受３に回転翼１が２枚付いた軸棒２を挿入し円筒６の両開口部に回転翼１を設置する、そして円筒６中央側面に円筒６内部空気を排除する為のエジェクター４を取付ける、エジェクター４用噴出水５は、高所からの落下水を５０ｍ＝５ｋｇ／ｃｍ２の水柱圧に変換した噴出水５として使用し、円筒６の中央部の空気を排除し内部真空８とする、上記の結果、回転翼１の外部は大気圧１ｋｇ／ｃｍ２、内部は内部真空８でこの圧力差によって回転翼１が回転を起して、真空利用原動機となる。【選択図】図３
2012233468.tif 000002
【特許請求の範囲】
【請求項１】
円筒（６）の中心を軸芯とする軸受（３）と円筒（６）の中央に取付けたエジェクター（４）と噴出水（５）を示す、円筒（６）の両開口部に同方向にまわる２枚の回転翼（１）と軸棒（２）をセットし、円筒（６）の両面の大気圧と内部をエジェクター（４）で真空（８）としその差圧で回る原動機。
【発明の詳細な説明】
【発明の詳細な説明】
【技術分野】
【０００１】  この発明は、大気圧力１ｋｇ／ｃｍ２（７）の持つ力を回転翼（１）の外部両面に働らかせ、円筒（６）の中央に取付けたエジクター（４）に噴出水（５）高所からの落下水を５０ｍ＝５ｋｇ／ｃｍ２の水柱圧に変換して噴出水（５）に使い円筒（６）内を真空（８）として、回転翼（１）を回転させる原動機に関するものである。
【背景技術】
【０００２】  従来より、原動機は、石油、石炭、ガス、を消費しＣＯ２の発生を、そして、最近では、風力発電、太陽光発電とすばらしい物も出来て参りました、しかし、残念な事に、１日２４時間連続しての安定した発電が出来ず、気象状況の変化で風力発電では、風力の変動、又雷の国日本では落雷での損傷と、又太陽光発電では、曇りや雨の日、又夜間等の影響があり、又原子力発電では、自然災害からとは言え、福島第一原発事故では（国際評価レベル７）と最悪の状況にあり、人類にとって大変危険な発電方式である事が判明し、世界の国々でも大きな問題になっている。
【発明が解決しようとする課題】
【０００３】  これらは次のような欠点があった。
イ、従来の発電用原動機は、多量の石油、石炭、ガスを使用し結果として、多量のＣＯ２を発生して来た。
ロ、陸上の自動車、空の飛行機、海の船舶、等もＣＯ２を発生し、共に地球温暖化に大きな影響を残して来た。
ハ、危険な発電方式である、原子力発電に至っては、是非回避したい。
本発明は、以上の欠点を解決するためになされたものである。
【課題を解決するための手段】
【０００４】  円筒（６）の中心を軸芯とする軸受（３）に回転翼（１）２枚の付いた軸棒（２）を挿入し円筒（６）の両開口部に回転翼（１）を設置する、そして円筒（６）中央側面に円筒（６）内部空気を排除する為のエジェクター（４）を取付ける、エジェクター（４）用噴出水（５）は、高所からの落下水を５０ｍ＝５ｋｇ／ｃｍ２の水柱圧に変換した噴出水（５）として使用し、円筒（６）の中央部の空気を排除し内部真空（８）とする、
上記の結果、回転翼（１）の外部は大気圧１ｋｇ／ｃｍ２、内部は内部真空（８）でこの圧力差によって回転翼（１）が回転を起して、真空利用原動機となる。
本発明は、以上の構成よりなる、真空原動機である。
【発明を実施するための形態】
【０００５】  以下、本発明の実施の形態について説明する。
大気圧力と円筒（６）内の真空との圧力差によって作動する、原動機の構造は、実に簡単ですが、しかし純粋のクリーンエネルギーの利用であって、安心安全な原動機です、これを発電システムに応用する事で、（他方面にも利用可能です）ＣＯ２ゼロ、地球温暖化防止上でも最も有効な発電システムとなり、１日２４時間連続の発電を実現します、
2012233468.tif 000003
圧を真空として、上部大気圧（７）１ｋｇ／ｃｍ２の内、翼先端の漏洩ロス又翼間のロス計３％と見て、回転翼（１）の面積２００．９６ｃｍ２×０．７ｋｇ／ｃｍ２＝１４０．６７ｋｇとなり、この圧力が翼上面に加はって回転を起したと考えた。又テストで翼の枚数が１２枚でスムースになり、２４枚で急にスピードがｕｐした、
テストの結果、回転翼（１）の枚数は多い程回り良くなる事が判明したが、実際の製作時には、充分なテストとその材質については、軽量で強度のある物、アルミニューム、硬質のプラスチック、又は軽量の特殊合金等を検討したい。
尚今回のテストでは、エジェクター（４）の変りに、家庭用電気掃除機の吸引力を利用した。高所からの落下水の無い場所では、この様に他の吸引力の利用も可能であり、緊急時の対応も考えたい。又エジェクター（４）は充分な内部真空（８）を得る為に、その数は大中小種々の物を容量以上に取付使用したい。
以上の結果より、次の点注意し対応したい、
イ、回転翼（１）の先端部の空気漏洩対策、
ロ、回転数安定のためのガバナー装置（エコカー電気制御方式の検討）
ハ、回転翼（１）の翼間隙調整機構の確立
ニ、円筒（６）低圧側への空気流入弁の取付と開閉機構
ホ、最大危険回転数での緊急対策の確立とブレーキ装置
2012233468.tif 000004
より、重量＝Ｗｋｇ、半径＝ｒメーター、回転数＝ｎｒＰＭの値によっては強い遠心力が発生し危険なため、上記の点を考慮する時、大きな出力を確保するには、半径＝ｒｍを小さくして、強い遠心力をさけ、発明の原動機を、同軸上にダンゴ三兄弟の如く串型に並べるか、並列としてＶベルトで結ぶ等により出力ｕｐを計りたい．
又フライホイール（９）についても、最初から重い円盤を回すのではなく、薄い円盤を取り付けて、その先端を図の如くＵ字型として置き、回転上昇のあと、Ｕ字部に水を注ぎ、遠心力とバランス用フライホイール（９）の役目をさせる、又Ｕ字部の底に小穴を数ヶ所明けて置き、注水を止めると空となる様にして置く。
【発明の効果】
【０００６】  本発明の最大のポイントは、水柱圧５ｋｇ／ｃｍ２から発生する、真空から生れる発電でＣＯ２ゼロの運転から地球温暖化防止を、又昨年日本政府のかかげたＣＯ２削減目標の達成が出来ること、何と云っても資源のとぼしい我国に於て最も有効な発電システムであり、安心安全はもとより、原油の輸入量の減少が最大のメリットだと考えられ、１日も早い実施と実現が待たれる所である。
【図面の簡単な説明】
【図１】  本発明の円筒、エジェクター、軸受斜視図
【図２】  本発明の回転翼斜視図
【図３】  本発明の組立状態を示す斜視図
【図４】  本発明のテスト機組立の斜視図
【図１】
2012233468.tif 000005
【図２】
2012233468.tif 000006
【図３】
2012233468.tif 000007
【図４】
2012233468.tif 000008
【手続補正書】
【提出日】平成24年3月13日(2012.3.13)
【手続補正１】
【補正対象書類名】特許請求の範囲
【補正対象項目名】請求項１
【補正方法】変更
【補正の内容】
【請求項１】
大気圧力と真空圧力差利用原動機
真空＝含む負圧力
【手続補正３】
【補正対象書類名】明細書
【補正対象項目名】０００１
【補正方法】変更
【補正の内容】
【０００１】
【発明の属する技術分野】
この発明は大気圧力（１ｋｇ／ｃｍ２）に対し、円筒（９）の内部空気をエジェクターにより外部へ排出する事で、円筒（９）内が真空となり圧力差が生ずる。この時、上部隔壁に開けた空気流入ノズル（６）から圧力差を持った空気が、真空中の回転翼（１）の上面に対して上下左右の４ヶ所のノズルから回転方向に向けて吹き付ける事により、回転軸（２）と共に力強い回転を起すことが出来る、大気圧力と真空の圧力差を利用する、原動機に関するものである。
【手続補正４】
【補正対象書類名】明細書
【補正対象項目名】０００４
【補正方法】変更
【補正の内容】
【０００４】
【課題を解決するための手段】
本原動機は前項〔０００２〕〔０００３〕に述べた従来の原動機とは基本的に異なります。故に高温高圧の原動機とは、出力的には小さな出力となる物です。しかし今後の研究によっては、半径を大きくするか、回転数を高速にするかによっては使い道もあるのではと考へ、手続補正書の提出をするものです。
この原動機を順調に運転する上での問題点から考えて見たいと思います。
イ．回転翼の材質  炭素繊維の復合材を云う軽くて強靭な新素材が高速回転による遠心力に耐えて、所期の目的にかなうかいなか
ロ．順調な回転を続ける為の最大のポイントは、円筒（９）内の空気を排除するエジェクター排出量によって左右される事と出力ｕｐも排出量にかかって来ます。計画排出量に対し充分な余裕を持たせる事が必要です。
ハ．回転翼の枚数を増して、空気との接触面積を増加し出力ｕｐを計る。
蒸気タービンの回転翼と反転翼の方法も検討したい。
ニ．エジェクターの噴出水を高所からの落水高さ１０米＝１ｋｇ／ｃｍ２の換算から、４ｋｇ／ｃｍ２の噴水の落差４０米の計画をしている。
ホ．机上では簡単に落水４０米利用と書けるも、実際にはゴミ、落葉、小枝の混入が予想されるため、他の応急対策が必要です。
ヘ．４ｋｇ／ｃｍ２の圧縮空気をエジェクターの噴出空気用に準備して置く。コンプレッサーの駆動には高所からの落水の力を利用し大型水車を使いたい。
ト．出力増加の方法として、本原動機を１軸上に三基、ダンゴ三兄弟の型に連結して、３倍の力の結集も考えられる。
本発明は以上の問題点をクリアーしての構成よりなる。大気圧力、真空、圧力差利用の原動機である。
【手続補正５】
【補正対象書類名】明細書
【補正対象項目名】０００５
【補正方法】変更
【補正の内容】
【０００５】
【発明の実施の形態】
本発明は、昨年の東日本大震災での津波で東京電力、福島第一原発の事故が発生し、安心、安全の神話が崩れさりました。原子力発電と聞くと、原子力で発電している様に思はれますが、実は蒸気タービンでの発電で、火力発電のボイラーが原子炉に成った形です；若い頃に学んだ、蒸気タービンの授業で、当時の教官が、大気圧力と真空との圧力差の利用での原動機を作れば、安心安全な原動機が作れる。しかし当時の時代には回転半径の大きな、高速回転に耐える材料が無い為に作る事が出来ないと云はれていた事を今回の大震災で思い出し、小さな物でテストし何とか回るので出願するも、やはり材料が無く絶念していましたが、昨年の暮に、岡山空港第一便として飛来した米国ボーイング社製の７８７型機がその機体に炭素繊維の複合材と云う軽くて強靭な新素材を使っているとのニュースを聞き、それが我国で開発されていると知り、これはと早速再度テストを開始、円筒（９）の上部に隔壁を取付けて内外部を区切つてのテストで（隔壁に４ヶ所のノズル穴明け）力強い回転を起し教官の言葉の正しかつた事を確認致しました。しかしまだ色々と改良点もあると思はれます。以上発明の実施の形態につき報告致します。
【手続補正６】
【補正対象書類名】図面
【補正対象項目名】図１
【補正方法】変更
【補正の内容】
【図１】
2012233468.tif 000009
【手続補正書】
【提出日】平成24年4月24日(2012.4.24)
【手続補正１】
【補正対象書類名】明細書
【補正対象項目名】０００４
【補正方法】変更
【補正の内容】
【０００４】  本原動機は前項〔０００２，０００３〕に述べた従来の原動機とは根本的に違った視点からの発案です。そして石炭、石油、原子力による従来の原動機の視点は常に最大出力を第一目標とし、設備費、維持費共に高額となっています。本原動機は、自然界の身近かにある力を利用する方法で、安心、安全を第一目標とした立案です。原動機の圧力差による空気の流れは〔図２〕の円筒上部隔壁（５）に設置の空気流入ノズル（６）４ヶ所から流入する空気量と円筒内部真空（８）維持の為の空気排出用エジェクター（４）の吐出容量がバランスする点をもとめその量の２０〜３０％の予裕を排出エジェクターに持たせる、円筒（９）の中心を軸芯として内部に取付けた回転翼（１）の面に正確に作用する角度の空気流入ノズル（６）内角９０度４ヶ所から大気圧力１．０ｋｇ／ｃｍ２の圧力空気が流入して回転翼（１）と１体の回転軸（２）が力強い回転を起す実に簡単な構造の原動機です。この説明を読まれると、一般の方は大気圧かと思はれると思いますが、実は真空中では、水柱１０米の高さまで上げる力を持っています。この１．０ｋｇ／ｃｍ２の力が１ｃｍ×１ｃｍの面積毎に加わりますから、流入空気の当る面積が広い程大きな力となって参ります。その上、真空中で回転する回転翼（１）は空気抵抗が無く軽く回転する為、高速回転となりやすく、回転翼の半径が大きくなる程、強い遠心力を発生する事となり、その為には、軽くて強靱な新素材の炭素繊維の復合材の使用が出来れば、問題は解決すると思います。
最近話題の風力発電も、安定した風が吹かねば発電出来ず、又雷の発生の多い我国では落雷による損傷が多く、出力電力の不安定、不確実性と周辺環境、への悪影響の問題があり、特に設置場所の選定が重要と云はれています。又太陽光発電も、気象の変化の影響が大きく、雨の日、曇りの日、夜間は発電せず、又日本海側の地方では冬季の発電は日照時間の不足から設置は無理と云はれています。
本原動機は、上記の気象の変化の影響はほとんど無く、１日２４時間、安定した発電を続ける事が出来る原動機です。
但し以上の他、現時点でのテスト機は小型のため、一日も早く大型での下記の問題点の解決を計りたい。
イ．炭素繊維の複合材が回転翼に使用可能か否か又回転板先端へのブレード取付、及び板の枚数とブレード角度
ロ．大気流入ノズルの流入角及び開閉装置の取付
ハ．円筒内空気排出用エゼクターの本数と同噴出水の循環方式の確立
ニ．回転翼の回転半径の決定（遠心力の計算より）
ホ．フライホイールの是非と回転数の安定方法
ヘ．上記諸問題の解決から駆動発電機の出力の決定
国土の狭い我国では、機器の設置場所が問題となっています。河川と山の多い地形から、水の取入の河川に近い山にトンネルを掘っての設置が考えられます。
【手続補正２】
【補正対象書類名】図面
【補正対象項目名】図３
【補正方法】変更
【補正の内容】
【図３】
2012233468.tif 000010